(57)【要約】【課題】  雄ネジ体に締結部材を介して締結部材を雌ネジ体で締付けたものが緩むことを防止するものとしての雌ネジ体は実用上及び発明考案はいろいろあるが、それらは緩み止めとして充分なものとは言えず個々の欠点を有している。それらを解決するため、雌ネジ体が一つの部品からなる単体で構造を簡単にして、締結部材を締付けた後は如何なる振動に対しても緩みを生じない雌ネジ体を提供することにある。【解決手段】  この発明は図１の如く内部に雌ネジ５を有した雌ネジ体１は締付部２と締付部２の先端部にスリット３を設けて変形片部４を有して雌ネジ体１を構成する。変形片部４が曲がり易くするためにスリット３には径大部の穴６を設けてもよい。【選択図】      図１
2007064283.tif 000002
【特許請求の範囲】
【請求項１】
雌ネジ体の締付部の反対側にスリットを有した変形片部を設けて、該変形片部が変形するようにして、変形片部のネジ山が雄ネジのネジ山に固着するようにしたことを特徴とする雌ネジ体。
【請求項２】
雌ネジ体の締付部の反対側に傾斜したスリットを有した変形片部を設けて、該変形片部が変形するようにして、変形片部のネジ山が雄ネジのネジ山に固着するようにしたことを特徴とする雌ネジ体。
【請求項３】
雌ネジ体の締付部の反対側に螺旋状のスリットを有した変形片部を設けて、該変形片部が変形するようにして、変形片部のネジ山が雄ネジのネジ山に固着するようにしたことを特徴とする雌ネジ体。
【請求項４】
雌ネジ体の締付部の反対側にスリット有した変形片部を設けた請求項１、又は、請求項２のスリットに変形片部が変形し易くするために、スリットの溝巾より大きい溝巾をスリットの一部に有した部分を設けて変形片部のネジ山が雄ネジのネジ山に固着し易くするようにしたことを特徴とする雌ネジ体。
【発明の詳細な説明】
【技術分野】
【０００１】
この発明は雄ネジ体と雌ネジ体が噛合っているものが振動や衝撃等を受けても締結状態から緩みを生じないはずのねじの緩み止めが、ひとりでに緩みを生じて雄ネジ体から雌ネジ体が抜け出すことを防止するものである。その使用範囲として軽量化を必要とする宇宙航空ロケットや新幹線などを含む電気、機械、建築、関連等の構造物に使用することのできる雌ネジ体に関するものである。
【背景技術】
【０００２】
従来において、雄ネジと雌ネジが噛合って緩み防止手段が取入れられたものはいろいろあるが、その中でも本発明に近い技術として、下記特許文献１から５などがある。
【０００３】
特許文献１は雌ネジに取付けられた緩み止め防止板が雄ネジに弾性変形しながら付着して締付けられて入ってゆくために、最初から締付に大きなトルクを要しながら締付けるので締付け作業が困難になり、又、充分な緩み防止のストッパーとなる力には至らず緩み側にも容易に回るために強力な緩み防止とはならない、又、構造が複雑になり製造コストが高くなる欠点を有する。
【０００４】
又、特許文献２は締付面と取付部材の間の両者に硬質の部材を食い込ませることによる両者間の移動を規制し回り止めの作用を得るものであるが、食い込む硬質部材を支える部分が柔らかでなければならないので、硬質部材が倒れたりするので両者間に隙間が発生し易く、又、プラスチックやゴム等の軟質座金は経時変化等でボロボロになるのでそれらを含めると緩み止め防止としては欠点を有するものである。
【０００５】
特許文献３と４については雄ネジに取付部材とナット、又は、座金を通した後、その側面をもう一つのナットに突起部を設けた突起部をナット又は座金のネジ穴に押圧することで、突起部が雄ネジに巻き込まれる摩擦力で緩み止め効果を高める狙いを計ったものであるが、このものは突起部の特に外径方向の寸法に対しその中に入るナット又は座金の寸法が適度でないと入らなくなり、取付部材との間に隙間を生じてしまう。
【０００６】
又、ナット又は座金に食い込ませる突起部の外径方向の寸法を大きくするとナット又は座金に食い込みにくくなり、例えば、食い込んでも突起部が厚いと変形しにくくなる。逆に、突起部が薄いと回り防止となる摩擦力が発生しにくくなる欠点を有するものである。
【０００７】
それらの従来の背景技術にはそれぞれの欠点を有し緩み止め防止として充分な効果を発揮する技術とはいえないものであった。
【０００８】
本特許願出願人が出願している特許文献５は、従来の欠点を解決するために発明したものであるが、雌ネジ体にロック棒を使用することで、構造が複雑になって生産性が悪くなる欠点を有している。
【０００９】
【特許文献１】特開昭５９−１３１０１６
【特許文献２】特開平８−１３５６４２
【特許文献３】特開平１１−３１５８２０
【特許文献４】特開２００３−２９４０２１
【特許文献５】特願２００４−６０８７３
【発明の開示】
【発明が解決しようとする課題】
【００１０】
この発明は雄ネジ体に締結部材を介して締結部材を雌ネジ体で締付けたものが緩むことを防止するものとしての雌ネジ体は実用上及び発明考案はいろいろあるが、それらは緩み止めとして充分なものとは言えず個々の欠点を有している。
【００１１】
例えば、背景技術で説明したように、これまで雌ネジ体の緩み止めは、緩み止めの雌ネジ体が二つ以上の部品の組み合わせとなって構成するために重量を有するようになり、特に航空宇宙向けロケットのようにスピードを有するものは窮極の軽量化を要し振動も受けるものである。
【００１２】
又、スピードの差は異なるが新幹線の車両のように母体が軽量化を必要としながら、更に、振動を受けるものもあり、その他、電気、機械、建築、関連等の構造物においても激しい振動を受けるものは従来において充分な機能を有するものとは言えない欠点があった。
【００１３】
従って、この発明の目的は雄ネジ体に雌ネジ体がはめ合って雌ネジ体が一つの部品からなる単体であって締結部材を締付けた後は前記条件に対しても緩みを生じない雌ネジ体を提供することにある。
【課題を解決するための手段】
【００１４】
前記目的の第一の発明は、雌ネジ体の締付部の反対側にスリットを有した変形片部を設けて、該変形片部が変形するようにして、変形片部のネジ山が雄ネジのネジ山に固着するようにしたことを特徴とする雌ネジ体によって達成される。
【００１５】
前記目的の第二の発明は、雌ネジ体の締付部の反対側に傾斜したスリットを有した変形片部を設けて、該変形片部が変形するようにして、変形片部のネジ山が雄ネジのネジ山に固着するようにしたことを特徴とする雌ネジ体によって達成される。
【００１６】
前期目的の第三の発明は、雌ネジ体の締付部の反対側に螺旋状のスリットを有した変形片部を設けて、該変形片部が変形するようにして、変形片部のネジ山が雄ネジのネジ山に固着するようにしたことを特徴とする雌ネジ体によって達成される。
【００１７】
前記目的の第四の発明は、雌ネジ体の締付部の反対側にスリット有した変形片部を設けた請求項１又は請求項２のスリットに変形片部が変形し易くするために、スリットの溝巾より大きい溝巾をスリットの一部に有した部分を設けて変形片部のネジ山が雄ネジのネジ山に固着し易くするようにしたことを特徴とする雌ネジ体によって達成される。
【発明の効果】
【００１８】
この発明の効果は一つの雌ネジ体の先端にスリットを設けた雌ネジ体を雄ネジに通しスリットを設けた先端面で相手部材を締付けることによって、雌ネジ体のスリットで形成した変形片部が雄ネジのネジ部に接圧して雌ネジ体の変形片部のネジ山が雄ネジ体のネジ山に固着してロックすることによって、強力な緩み止めとなる雌ネジ体のロック構成をえるものである。
【００１９】
従って、雄ネジから雌ネジ体が緩まないように雌ネジ体のネジ部が雄ネジに食い込みロックするようにするものである。
【００２０】
雌ネジ体に設ける先端部が変形し易くするために、スリットの元部に穴を設けることや先端部の締付端面に接圧時に摩擦を大きくして変形部が変形し易くするように傾斜面や凹凸面を設けることによって、このネジの緩み止め効果を向上させることができてより有効な雌ネジ体となるものである。
【００２１】
このようにすることによって、一つの雌ネジ体に他の物体を組合せることのないので構造が簡単で製造が容易になり、しかも緩み止めとして確かな効果を得ることのできる広範囲の用途に好適な雌ネジ体を得ることができるものである。
【００２２】
この発明は一つの単品の部品によって緩み止めを成立させたことに、この発明のより有意性を有することにある。
【発明を実施するための最良の形態】
【００２３】
この発明の形態として雌ネジが雄ネジに螺合したときに雌ネジ体の先端の締付部に設けたスリットによって、スリットとスリットとの間に在して変形部となる変形片部のネジ山が雄ネジのネジ山にロック状に固着して雄ネジ体に食い込むようにしたもので、雄ネジ体から雌ネジ体は抜けなくロックされて雌ネジ体は雄ネジ体から緩みを発生することのないような噛合いとなるものである。
【実施例】
【００２４】
本発明を図示に従って説明すると、図１は内部に雌ネジ５を有した雌ネジ体１は締付部２と締付部２の反対側にスリット３を設けて変形片部４を有して雌ネジ体１を構成する。変形片部４が曲がり易くするためにスリット３には径大部の穴６を設けてもよい。
【００２５】
図４の如くした雌ネジ体１を雄ネジ体１０１に螺合し締付部２を回して締付けると変形片部４の端面７が取付部材Ｘに接触して、更に、締付けを増してゆくと変形片部４が曲がりながら締付けされる。
【００２６】
この締付けされた状態において、雄ネジ体１０１のネジ山１０８に対し図６のように雌ネジ体１の変形片部４のネジ山８は傾斜されて、雄ネジのネジ山１０８に食い込むように圧接し雄ネジ体１０１から雌ネジ体１のネジ山は抜け出さないように固着してロックされる。ことによって、雌ネジ体１は強力な緩み止めとなるものである。
【００２７】
このように締付けされたものを開放するには締付けと逆の方向に回せば雄ネジ体１０１から雌ネジ体１は開放されて雌ネジ体１を雄ネジ体１０１から取外すことができる。
【００２８】
図６は本発明の応用例その１を示し雌ネジ体１１の締付部２２の部分をナットのような形にして、反対側にスリット１３を設ける部分は円筒形にすれば円筒部の厚みが均一になるので雌ネジ体１１を締付けると変形片部に均一な力が加わる変形片部１４となるものである。
【００２９】
図６のように変形片部を円筒形にすることによって、変形変部の厚みが均一になるので、変形片部の端面が取付部材に圧接して締付けるときに、変形片部が均一に変形して締付けができる雌ネジ体を得ることができるものである。
【００３０】
図６では雌ネジ体の変形片部は雌ネジ体の締付部の六角部より小さく設けたが、それを逆に六角部より円筒部を大きくして、変形し易くするためにスリットの数を多く設けるようにしてもよいものである。
【００３１】
図１と図６において、雌ネジ体の締付部を締付けて変形片部のネジが雄ネジ体のネジに固着しロックする現象は、スリットが設けてあると変形片部が全体的に曲げられて変形するので、スリットの巾には殆んど関係なく変形片部は曲がるようになり変形片部のネジが雄ネジ体のネジに固着してロックするようになる。
【００３２】
しかし、ある程度スリットに巾を設けると、変形片部が曲がり変形し易くなるので、スリットの巾はある程度は設けた方がよいものである。
【００３３】
図１又は図６のような雌ネジ体に設けるスリットの数は、その雌ネジ体の大きさによって異なり、その設定は変形片部が変形してネジ部が雄ネジに固着するように設けるものである。
【００３４】
スリットに通常の場合はスリットの巾より大きい穴を設けるが、この穴は設けなくても成り立つ場合がある。
【００３５】
従って、図１と図６において、雌ネジ体として充分な緩み止め効果を得ることができるものである。
【００３６】
図７は本発明の応用例その２であって、雌ネジ体２１の先端部に螺旋状のスリット２３を設けた場合であって、このようにした雌ネジ体２１を締付けると雄ネジ体のネジ山に雌ネジ体のネジ山が重ね合わせるようにも固着してロックできるので、雌ネジ体２１の緩み止めとして窮めて有効な雌ネジ体２１が得られるものである。
【００３７】
これまでの発明で雌ネジ体に設ける先端部が変形し易くするために、スリットの元部に穴を設けることや先端部の締付端面に接圧時に摩擦を大きくして変形片部が変形し易くするように傾斜面や凹凸面を設けることによって、このネジの緩み止め効果を向上させることができてより有効な雌ネジ体となるものである。
【００３８】
変形片部は内部がネジとなる円形で厚みもあるので締付けの際に、端面は浮き上がらないがスリットで形成する変形部の長さはできるだけ短く設けた方が望ましい。
【００３９】
雌ネジ体の寸法の大きさはスリットの長さと穴の大きさを選定すれば現行のＪＩＳで規定しているナットの寸法の範囲に近い寸法でも製作可能であるなどの有効な雌ネジ体を得られるものである。
【図面の簡単な説明】
【００４０】
【図１】本発明の雌ネジ体の斜視図。
【図２】図１の雌ネジ体の左側側面図。
【図３】図１の雌ネジ体の右側側面図。
【図４】図１の雌ネジ体を使用して締結した場合の説明を示す状態図。
【図５】変形片部のネジ山と雄ネジ体のネジ山が噛合う状態を示す説明図。
【図６】本発明の応用例その１を示す斜視図。
【図７】本発明の応用例その２を示す斜視図。
【符号の説明】
【００４１】
１．１１．２１：雄ネジ体
２．２２．：締付部
３．１３．２３：スリット
４．１４：変形片部
５：雌ネジ
６：穴
７：端面
８：ネジ山
１０１：雄ネジ体
１０８：ネジ山
【図１】
2007064283.tif 000003
【図２】
2007064283.tif 000004
【図３】
2007064283.tif 000005
【図４】
2007064283.tif 000006
【図５】
2007064283.tif 000007
【図６】
2007064283.tif 000008
【図７】
2007064283.tif 000009